(57)【要約】【課題】  ディスプレイパネルを体裁よく、安定して、強固に支持しうるとともに、ブラケットが支柱から脱落するのを防止しうるようにした商品陳列装置における表示装置を提供する。【解決手段】  左右１対の支柱１の上部前面に後端部を係止した前方を向く左右１対のブラケット９の前端部間に、左右方向を向き、かつ前面に表示板を装着したディスプレイパネル１６を架設した商品陳列装置における表示装置において、各支柱１の上部前面に設けた係合孔５に、ブラケット９の後端に設けたフック１０を係止するとともに、いずれかのブラケット９の外側面を覆うエンドカバー１９の後端に後向突設した、係合孔５の上下長とほぼ同長の上下幅の突片２０を嵌合し、ブラケット９とエンドカバー１９とを固定ねじ２３により互いに固定する。【選択図】        図２
2006180900.tif 000002
【特許請求の範囲】
【請求項１】
左右１対の支柱の上部前面に後端部を係止した前方を向く左右１対のブラケットの前端部間に、左右方向を向き、かつ前面に表示板を装着したディスプレイパネルを架設した商品陳列装置における表示装置において、
各支柱の上部前面に設けた係合孔に、前記ブラケットの後端に設けたフックを係止するとともに、いずれかのブラケットの外側面を覆うエンドカバーの後端に後向突設した、前記係合孔の上下長とほぼ同長の上下幅の突片を嵌合し、前記ブラケットとエンドカバーとを固定手段により互いに固定したことを特徴とする商品陳列装置における表示装置。
【請求項２】
各支柱の前面に、係合孔を左右２列として設け、ブラケットのフックを一方の係合孔に係止し、かつエンドカバーの突片を他方の係合孔に嵌合した請求項１記載の商品陳列装置における表示装置。
【請求項３】
各支柱の前面に設けた同一の係合孔に、ブラケットのフックを係止するとともに、エンドカバーの突片を嵌合した請求項１記載の商品陳列装置における表示装置。
【請求項４】
エンドカバーの突片を支柱の係合孔に正規の位置まで嵌合したとき、エンドカバーの後端面が支柱の前面に当接するようにした請求項１〜３のいずれかに記載の商品陳列装置における表示装置。
【請求項５】
左右のブラケットの下端に、互いに内方を向く受片を設け、両受片により、左右のブラケット間の空間を閉塞する底板を架設した請求項１〜４のいずれかに記載の商品陳列装置における表示装置。
【発明の詳細な説明】
【技術分野】
【０００１】
本発明は、商品陳列装置の上部前面に、陳列した商品の名称や種類等を遠くから視認できるように表示する商品陳列装置における表示装置に関する。
【背景技術】
【０００２】
この種の従来の装置としては、左右１対の支柱の上部前面に後端部を係止した前方を向く左右１対のブラケットの前端部間に、左右方向を向き、かつ前面に表示板を装着したディスプレイパネルを架設したものがある（例えば特許文献１参照）。
【特許文献１】特開２０００−１４４９８号公報
【発明の開示】
【発明が解決しようとする課題】
【０００３】
しかし、特許文献１に記載されている装置においては、支柱に対してブラケットが上下方向にがたつくおそれがあり、ディスプレイパネルの支持の安定性が悪いという問題がある。
【０００４】
本発明は、従来の技術が有する上記のような問題点に鑑み、ディスプレイパネルを、体裁よく、安定して強固に支持しうるとともに、ブラケットが支柱から脱落するのを防止しうるようにした商品陳列装置における表示装置を提供することを目的としている。
【課題を解決するための手段】
【０００５】
本発明によると、上記課題は次のようにして解決される。
(１)   左右１対の支柱の上部前面に後端部を係止した前方を向く左右１対のブラケットの前端部間に、左右方向を向き、かつ前面に表示板を装着したディスプレイパネルを架設した商品陳列装置における表示装置において、各支柱の上部前面に設けた係合孔に、前記ブラケットの後端に設けたフックを係止するとともに、いずれかのブラケットの外側面を覆うエンドカバーの後端に後向突設した、前記係合孔の上下長とほぼ同長の上下幅の突片を嵌合し、前記ブラケットとエンドカバーとを固定手段により互いに固定する。
【０００６】
(２)  上記(１)項において、各支柱の前面に、係合孔を左右２列として設け、ブラケットのフックを一方の係合孔に係止し、かつエンドカバーの突片を他方の係合孔に嵌合する。
【０００７】
(３)  上記(１)または(２)項において、各支柱の前面に設けた同一の係合孔に、ブラケットのフックを係止するとともに、エンドカバーの突片を嵌合する。
【０００８】
(４)  上記(１)〜(３)項のいずれかにおいて、エンドカバーの突片を支柱の係合孔に正規の位置まで嵌合したとき、エンドカバーの後端面が支柱の前面に当接するようにする。
【０００９】
(５)  上記(１)〜(４)項のいずれかにおいて、左右のブラケットの下端に、互いに内方を向く受片を設け、両受片により、左右のブラケット間の空間を閉塞する底板を架設する。
【発明の効果】
【００１０】
本発明によると、次のような効果を奏することができる。
(１)  請求項１記載の発明によると、ブラケットの外側面をエンドカバーにより覆うので、体裁がよく、しかも支柱の係合孔に、ブラケットのフックを係止するとともに、エンドカバーの突片を嵌合し、さらにブラケットとエンドカバーとを固定手段により互いに固定したので、ディスプレイパネルを、安定して、強固に支持しうるとともに、ブラケットが支柱から脱落するのを確実に防止することができる。
【００１１】
(２)  請求項２記載の発明によると、ブラケットのフックとエンドカバーの突片とを、それぞれ別の係合孔に係止したり嵌合したりすることができるので、支柱へのブラケットおよびエンドカバーの装着作業を容易に行うことができる。
【００１２】
(３)  請求項３記載の発明によると、ブラケットのフックとエンドカバーの突片とを、同一の係合孔に係止したり嵌合したりするので、支柱への係合孔の穿設個数を少なくすることができる。
【００１３】
(４)  請求項４記載の発明によると、エンドカバーの突片を支柱の係合孔に正規の位置まで嵌合したとき、エンドカバーの後端面が支柱の前面に当接するようにしたので、エンドカバーおよびブラケットの左右方向の回動を確実に阻止することができる。
【００１４】
(５)  請求項５記載の発明によると、左右のブラケットの下端に、互いに内方を向く受片を設け、両受片により、左右のブラケット間の空間を閉塞する底板を架設したので、表示装置を下方から見上げたときの外観をよくすることができるとともに、底板をブラケットに簡単に支持させることができる。
【発明を実施するための最良の形態】
【００１５】
以下、本発明の実施形態を、添付図面を参照して説明する。
図１〜図４は、本発明の一実施形態を備える商品陳列装置を示す。
図１に示すように、この商品陳列装置は、左右１対の支柱(１)(１)の下部前面にベース棚(２)が、同じく上部前面に表示装置(３)がそれぞれ装着され、それらの間の中間部前面に、商品載置用の上下に並ぶ棚板(4a)(4b)(4c)(4d)が、それらの受け面が上方のものはほぼ垂直をなし、下方に行くにしたがって漸次小傾斜となって、水平に近づくようにして装着されている。
【００１６】
各支柱(１)の前面には、多数の係合孔(５)(５)が、上下方向に等間隔に、左右２列として穿設されている。
左右の支柱(１)(１)の上端部同士および下端部同士は、左右方向を向く上部連結杆(６)(図２以後参照)および下部連結杆(図示略)により互いに連結されており、左右の支柱(１)(１)間において、上部連結杆(６)の下面および下部連結杆の上面に固着された側面視下向きコ字状および上向きコ字状の保持枠(下方のものは図示略)(７)には、後面板(８)の上下部が嵌合され、保持されている(図２参照)。
【００１７】
図２〜図４に示すように、左右の支柱(１)(図２〜図４においては、左方のもののみを図示し、右方のものは図示を省略してある)における最上部の互いに内側の２個の係合孔(５)(５)には、前方を向くブラケット(９)の後端に設けられた上下１対の下向き鉤形のフック(10)(10)が係止されている。
【００１８】
各ブラケット(９)は、前後方向を向く垂直板状の基片(11)の後端に上記フック(10)(10)が設けられ、下端に互いに内方を向く水平の受片(12)が設けられ、前端に平面視Ｌ字状をなす起立部(13)が設けられたものよりなっている。
起立部(13)における互いに内方を向く前片(13a)の前面には、上下１対の方形の係合孔(14)(14)が設けられている。
【００１９】
左右のブラケット(９)の前端部間には、左右方向を向き、かつ前面に表示板(15)を装着したディスプレイパネル(16)が、その両側部後面に設けた下向き鉤形の上下１対の係止爪(17)(17)を、ブラケット(９)の前端面の係合孔(14)(14)にそれぞれ係止することにより架設されている。
【００２０】
ディスプレイパネル(16)の上下部には、前方に向かって下向き鉤状および上向き鉤状に折曲された上部縁片(16a)および下部縁片(16b)が設けられ、その内側に、表示板(15)が若干前傾した状態で保持されるようになっている。
表示板(15)の前面には、ベース棚(２)および棚板(４)〜(７)上に載置して陳列される商品(図示略)の名称、それらの商品が包含される分類の名称、それらの商品の発売元の社名やマーク、またはそれらの商品に関連する名称やマーク等が表示される。
【００２１】
ディスプレイパネル(16)と後面板(８)との間における左右のブラケット(９)の受片(12)間には、四辺に起立縁(18a)を有する平面視横長方形の底板(18)の両側端部が載置され、両ブラケット(９)間に底板(18)が架設されている。
【００２２】
左右の支柱(１)における最上部の互いに外側の２個の係合孔(５)(５)には、両ブラケット(９)の外側面を覆うエンドカバー(19)の後端に後向突設した上下１対の突片(20)(20)が嵌合されている。各突片(20)の上下方向の幅は、係合孔(５)の上下長とほぼ同長としてあるので、各突片(20)を係合孔(５)に嵌合することにより、両突片(20)(20)およびエンドカバー(19)は、支柱(１)に対して上下方向の移動が阻止されるようになっている。
【００２３】
エンドカバー(19)の前後および上下の縁には、平面視後向鉤形の前部折返し片(19a)、内方を向く後片(19b)、正面視下向き鉤形の上部折返し片(19c)、および正面視上向き鉤形の下部折返し片(19d)がそれぞれ設けられており、またエンドカバー(19)の内側面中位部には、正面視外向きコ字状の補強杆(21)が溶接等により固着されている。
各突片(20)は、後片(19b)の内側の縁に設けられており、各突片(20)を支柱(１)の係合孔(５)に正規の位置まで嵌合したとき、エンドカバー(19)の後片(19b)(後端面)が支柱(１)の前面に当接するようにしてある。
【００２４】
エンドカバー(19)とブラケット(９)とは、ブラケット(９)の内側よりブラケット(９)を貫通して、エンドカバー(19)の補強杆(21)の内面に設けたねじ孔(22)に螺合するようにした固定手段である前後１対の固定ねじ(23)(23)をもって互いに固着されている。
【００２５】
このように、ブラケット(９)のフック(10)を支柱(１)の前面における右方の係合孔(５)に係止し、エンドカバー(19)の突片(20)を同じく左方の係合孔(５)に嵌合し、かつブラケット(９)とエンドカバー(19)とを、固定ねじ(23)(23)により互いに固定したので、ディスプレイパネル(16)を安定して、強固に支持しうるとともに、ブラケット(９)が支柱(１)から脱落するのを確実に防止することができる。
すなわち、ブラケット(９)のフック(10)が一方の係合孔(５)に係止され、上下幅を係合孔(５)の上下長とほぼ同長としたエンドカバー(19)の突片(20)が他方の係合孔(５)に嵌合され、かつエンドカバー(19)の後片(19b)が支柱(１)の前面に当接させられることにより、エンドカバー(19)とブラケット(９)との前後、左右および上下の方向への移動やがたつき、ならびに水平方向への回動が確実に阻止され、ディスプレイパネル(16)を安定して支持することができる。
【００２６】
なお、上記実施形態においては、左右１対の支柱(１)(１)間に、ベース棚(２)、表示装置(３)、棚板(4a)(4b)(4c)(4d)等を装着し、表示装置(３)における左右の両ブラケット(９)(９)の外側面をエンドカバー(19)(19)により覆うようにしてあるが、３本以上の支柱(１)を左右方向に所要の間隔をもって立設し、各支柱(１)(１)間に上記表示装置(３)等をそれぞれ架設して、左右方向に長い商品陳列装置を形成する場合には、その最も外側の支柱(１)に装着したブラケット(９)の外側面のみにエンドカバー(19)を配設し、中間の支柱(１)においては、図５に示すように、その支柱(１)の前面に設けられた右方の係合孔(５)には、右方の底板(18)およびディスプレイパネル(16)を支持するブラケット(９)の後端のフック(10)を係止し、左方の係合孔(５)には、左方の底板(18)およびディスプレイパネル(16)を支持するブラケット(９)の後端のフック(10)を係止し、それらのブラケット(９)の側面を覆うエンドカバー(19)は省略して実施するのがよい。
【００２７】
本発明は、上記実施形態のみに限定されるものではなく、本発明の範囲を逸脱することなく、幾多の変更や変形が可能である。
例えば、上記実施形態においては、支柱(１)の前面に左右２列の係合孔(５)(５)を設け、その一方にブラケット(９)のフック(10)を係止し、かつ他方にエンドカバー(19)の突片(20)を嵌合したが、支柱(１)の前面に１列の係合孔(５)を設け、その同一の係合孔(５)にブラケット(９)のフック(10)を係止するとともに、エンドカバー(19)の突片(20)を嵌合してもよい。そうすることによって、支柱(１)への係合孔(５)の穿設個数を少なくすることができる。
【図面の簡単な説明】
【００２８】
【図１】本発明の一実施形態を備える商品陳列装置の斜視図である。
【図２】同じく、要部の分解斜視図である。
【図３】同じく、要部の拡大縦断側面図である。
【図４】同じく、図３のIV−IV線に沿う横断平面図である。
【図５】他の実施形態における中間の支柱に装着した部材の横断平面図である。
【符号の説明】
【００２９】
(１)支柱
(２)ベース脚
(３)表示装置
(4a)(4b)(4c)(4d)棚板
(５)係合孔
(６)上部連結材
(７)保持枠
(８)後面板
(９)ブラケット
(10)フック
(11)基片
(12)受片
(13)起立部
(13a)前片
(14)係合孔
(15)表示板
(16)ディスプレイパネル
(16a)上部縁片
(16b)下部縁片
(17)係止爪
(18)底板
(18a)起立縁
(19)エンドカバー
(19a)前部折返し片
(19b)後片
(19c)上部折返し片
(19d)下部折返し片
(20)突片
(21)補強杆
(22)ねじ孔
(23)固定ねじ
【図１】
2006180900.tif 000003
【図２】
2006180900.tif 000004
【図３】
2006180900.tif 000005
【図４】
2006180900.tif 000006
【図５】
2006180900.tif 000007